(57)【特許請求の範囲】
【請求項１】
長さ方向の中央部分で折り返した長方形の織布の、折り返し部分を頭上中央とした織布の一方側の縁部同士を縫い合わせると共に後頭部に当たる部分を後頭部の形状に縫い合わせ、前頭部側の織布を一定幅内側に折り返して２枚合わせとなった前頭部中央の一部分を長方形又は台形に縫い合わせて成ることを特徴としており、縫い合わせた両サイドから顔の側面を覆うようにして垂れ下がる織布で顔の側面と首周りの日焼けを防いで汗も拭ける頭巾であり、前頭面の両サイドから顔の側面を覆って下に垂れ下がる織布の顎や顎の下の部分と顎の側面に複数個の留め具を付属することにより、段階的に前面と背面の両面で留められて、顎の側面の留め具を留めれば風になびかず安定して被れ、乾いたままで被れば防寒対策、濡らして被れば熱中症対策、主に熱中症対策用に考案した頭巾は顔側面の日焼けを防ぎ、頭部全体の保温と冷却ができることを特徴とする頭巾。
【発明の詳細な説明】
【技術分野】
【０００１】本発明は、炎天下でのガーデニング、草むしり、畑仕事等の作業時の熱中症対策としては、頭上に装着する織布製の頭巾として、乾いたまま、或いは頭上部分や首筋部分を濡らして絞ったものや全体を濡らして絞ったものを作業用帽子の上や帽子の下に装着し、四季を通じての外作業においては、乾いたものを単独で装着したり、サンバイザーを併用したりすることも出来る頭巾である。この頭巾を装着することにより、真夏の炎天下においては首筋に掛かる織布が首筋を太陽熱から護り日焼けを防ぐことができ、前頭面にあたる織布を内側に折り返して合わせた一部分を縫い合わせることにより織布が小さな庇を形成し、縫い合わせた部分の両サイドから垂れ下がる織布が顔の側面を覆うことにより顔や胸元の日焼けを防ぎ、顔から流れ落ちる汗を拭く、汗拭きタオルの役目も果たす頭巾となっている。また、織布に取り付けた留具を顎や顎の下で留めることにより風に飛ばされることが無く、顎の両サイドの留具を顎の位置で留める事により、下を向いて作業をする場合でも顔の下で弛みが出ない頭巾となっている。屋内での使用方法としては、洗髪後の頭に被って髪を拭いたり、長い髪の毛を頭巾の内側に巻き込んだりしておくと髪の毛から滴り落ちる水で服を濡らすこともなく、髪全体を拭くヘアータオルとして使用できる頭巾である。また、顎や顎の下の位置に付属する留具を後頭部下で留めることにより、結ぶ手間の掛からない後ろ留め被りを簡単に形成することができるので、屋内の掃除や工場等の作業場においても埃避けのヘアーキャップとして使用できる頭巾である。また、ＵＶ加工を施した布地で縫製した頭巾は野外でのスポーツ観戦等の日焼け予防対策に帽子以上の日焼け止め効果を発揮することができる頭巾であり、プールや海水浴場においても、水中から上がった際の濡れた顔や毛髪を拭いたり、顔や毛髪の日焼けを防いだりすることができる頭巾であり、ウール生地、アクリル生地等で縫製した頭巾はウインタースポーツ観戦等に装着すると、帽子、マフラー、耳当てを兼ねる雪焼け対策と防寒対策になり、用途に合わせた生地で縫製することにより多目的対応の、マルチ頭巾となっている。
【背景技術】
【０００２】従来、ガーデニング、草むしり、畑仕事等の作業時は、日焼けを防いだり、暑さを凌いだりする目的でキャップや麦藁帽子などを被るが、キャップでは顔の側面や首筋を太陽光から保護することはできなかった。また、麦藁帽子のように鍔が大きくてクラウンの形状が定まった帽子は不安定が生じるために、風にあおられると動いてずれたり、紐だけが首に残って帽子が頭から外れて背中に回ってしまったりする度に作業の手を止めて被り直すという煩わしさがあった。また、汗を拭くタオルは首に回し掛けたり腰のベルトに通したりして作業するのが通常であったが、炎天下の農作業においてはタオルを首に回し掛けておくこと自体が暑苦しいだけでなく、作業の動作によって左右にずれたり、肩からすべり落ちたり、風に吹かれて飛ばされてしまうこともあり、腰に下げたタオルは汗を拭く度に取り外しては戻すという煩わしさあった。その暑苦しさや煩わしさを解決するために、頭の上にタオルを載せてから帽子を被るという策を取れば、首に回し掛けるよりは暑苦しくはなく、腰に下げたタオルよりは使いやすいものの、下を向いて作業をする畑仕事においては頭から被ったタオルは顔の側面の真下に垂れ下がるので鬱陶しく、顔の下で風になびいて視線をふさぐこともあり、作業の邪魔をするという煩わしさがあった。また、帽子以外に熱中症を予防する対策はなく、単独での装着に加えて、サンバイザー、キャップ、麦藁帽子等と組み合わせることにより、顔の側面、首筋、胸元等の日焼けを防いだり、被り物を水に濡らして絞ったものを帽子の上から装着したり帽子の下に装着することで太陽熱を緩和して、熱中症対策のできる被り物はなかった。さらに、留具を付属して顎や顎の下で留めることにより風に吹かれても飛ばされることもなく、顎の両サイドの留具を顎の位置で留めることにより下を向いて作業をする場合でも弛むことがなく、顔の側面を覆う織布が汗拭きタオルの役目も果たし、付属する留具を後頭部の下で留めることにより背面留め被りを形成することができるという、前面、背面の両面留めができる被り物はなかった。また、ゴルフ、野球、テニス等の野外でのスポーツ観戦においては、日焼けを防ぐために大きな鍔のある帽子を被ると、場合によっては後部席の観客に迷惑が掛かる事態が発生するためか、頭から一枚のタオルを被り、タオルの両端を口に銜えて飛ばされないようにしている人の姿がテレビに映し出されているが、人に迷惑を掛けず、風に飛ばされる心配もなく、しっかりとした日焼け止め対策と熱中症対策ができて、汗を拭くこともできる被り物はこれまでになかった。また、ウインタースポーツを観戦するには帽子、マフラー、耳当てが必需品であるが、それらをひとつに纏めて尚且つ、雪焼け防止が出来る被り物はこれまでになかった。（例えば特許文献１）
【特許文献１】特開平１１−１７２５１６号
【発明の開示】
【発明が解決しようとする課題】
【０００３】真夏の炎天下においての過酷な農作業等には、キャップや麦藁帽子等の作業用の被り物は必要不可欠なものである。しかしながら、帽子の周辺の前面にだけ鍔が付いているキャップでは、顔の側面や首筋を太陽光から保護することができなかった。【０００４】麦藁帽子のように帽子の周辺の全体に大きな鍔が付いているものは比較的太陽光は遮るものの、反射する紫外線からは逃れることはできないために日焼けを起こしてしまっていた。そのうえ、麦藁帽子のように鍔が広ければ広い帽子ほど風に煽られた時にずれ動いたり、クラウンの形状が定まった帽子は馴染みが悪く、風に煽られると顎紐だけを首に残して帽子が外れて背中に回ったりして煩わしいものであった。【０００５】その煩わしさを解消するための策として、頭にタオルを乗せて麦藁帽子を被れば、タオルの裾が目の前に下がって鬱陶しく、風になびいて作業の邪魔をした。【０００６】また、炎天下での農作業等に於いては汗拭きタオルは手放せないものであるために、首に回し掛けたり腰のベルトに通したりして作業する場合がほとんどであったが、首に回し掛けたタオルは暑苦しいものであり、腰のベルトに通して下げたタオルは使い勝手が悪いものであった。【０００７】比較的涼しい日や曇り空の日などに農作業をする場合、頭に乗せたタオルを後ろで縛って被ることもあるが、タオルでは結び目が大きくなって結び辛いものであり、手拭いであっても結んだり解いたりが面倒であった。【０００８】野外でのスポーツ観戦においても、汗拭きタオルやハンカチを携帯する必要も無く、太陽熱を緩和して熱中症を予防し、日焼け止め対策の取れる被り物はなかった。本発明はこの課題を解決するためになされたものである。
【課題を解決するための手段】
【０００９】長さ方向の中央で折り返した長方形の織布の、折り返し部分を頭上中央とした一方側の上から斜め下へと縫い合わせて後頭部の形状とし、裾までの縁部どうしを縫い合わせるとともに、前頭部の中央に位置する部分を内側に折って、一部分を縫い合わせることにより小さい庇を形成して、縫い合わせた両サイドから顔の側面を覆うようにして垂れ下がる織布で、顔の側面と襟元の日焼けを防止することができる頭巾とした。【００１０】また、頭巾の下端にあたる顎と顎の下と、顎の両サイドに留具を付属して、顎や顎の下で留めることにより日焼け予防を強化して風に煽られても飛ばされず、顎の両サイドに付属する留具を顎の位置で留めることにより、下を向いて作業をしても弛みが出ないようにした。【００１１】麦藁帽子等のようにクラウンの形状が定まった帽子の下には、風に煽られてもずれたり飛ばされたりするのを防ぐクッション材として被ることのできる頭巾とした。【００１２】汗拭きタオルを携帯しなくても、帽子の上や帽子の下に装着した頭巾の前頭部の両サイドから垂れ下がる織布の、顔の側面に掛かる部分で汗を拭ける頭巾とした。【００１３】さらに、織布に付属した留具を後方に回して後頭部下で留めることにより、結んだり解いたりする手間が掛からない背面留め被りができるとともに、背面縛りもできる頭巾とした。【００１４】また、農作業用の頭巾としては、水持ちをよくするために厚地のタオル地の織布を用い、頭上部分と首筋部分を濡らして絞ったり、全体を濡らして絞ったりしたものを帽子の上や帽子の下に装着することにより太陽熱を緩和して熱中症対策のできる頭巾とした。【００１５】加えて、野外でのスポーツ観戦用の頭巾としては、タオル地の外にＵＶ加工を施した布地や、無地、レース地、プリント地等を用いたり、それらを組み合わせたりして、若い女性が被るにも相応しい頭巾とした。【００１６】ウインタースポーツ観戦用の頭巾には、ウール生地、アクリル生地等を用いて、帽子、マフラー、耳当てを兼ね備える頭巾とした。
【発明の効果】
【００１７】これにより、農作業等において、これまでキャップ等の前面に鍔のある帽子だけでは防ぐことができなかった顔の側面や首筋、胸元の日焼けを防ぐことができるようになった。【００１８】麦藁帽子等の、クラウンの形状が定められた帽子は万人にサイズが合うはずが無い上に、鍔の大きい帽子は風に煽られ易いものであったが、帽子の下に頭巾を装着することにより、頭と帽子の間にクッションが生じるので風に飛ばされにくく、安定した被りができるようになった。【００１９】頭巾に付属する留具を、顎や顎の下で留める事により風になびく煩わしさから解消され、顎の両サイドに付属する留具を顎の位置で留めることにより下を向いて作業をしても、顔の下で弛んで作業の邪魔をすることがなくなった。【００２０】また、前頭面の両サイドから垂れ下がる、顔の側面を覆った頭巾で汗を拭くことができるので、汗拭きタオルを携帯する煩わしさから解消されるようになった。【００２１】頭巾に付属する留具を後ろに回して後頭部下で止める事により結ぶ手間の掛からない背面留め被りが簡単被れるようになった。【００２２】さらに、頭巾の頭上部分や首筋部分を水で濡らしたり、全体を濡らしたりして絞ったものを被ることで、受ける太陽熱を緩和して熱中症対策ができるようになった。【００２３】野外でのスポーツ観戦等においても同じ効果を発揮するうえに、生地や柄を選ぶことでお洒落な感覚で単独で被ったりサンバイザーと併用したりして、日焼けを気にしないで屋外でのスポーツ観戦を楽しむことができるものである。
【実施例１】
【００２４】真夏の炎天下でのガーデニング、草むしり、田畑仕事等の外作業においては、頭巾の頭上部分と首筋に掛かる部分、または、全体を水で濡らして絞ったものを直に頭に装着してから帽子を被るか、帽子を被った上から頭巾を装着して、付属する留具を顎や顎の下で留めて顔の側面の日焼け防止対策とし、下を向いて作業をする時は、顎の両サイドに付属する留具を顎の位置で留めて弛み防止とする。
【実施例２】
【００２５】四季を通じての比較的涼しい日の外作業においては、乾いた頭巾を直に頭に装着してから帽子を被るか、帽子を被った上から頭巾を装着して、付属する留具を顎や顎の下で留めて日焼け防止対策とし、下を向いて作業をする時は、顎の両サイドに付属する留具を顎の位置で留めて弛み防止とする。または、頭巾の前頭部中央を額に当てて顎や顎の下の位置に付属する留具を後ろに回して後頭部下で留め、背面留めにして装着する。
【実施例３】
【００２６】屋内での掃除や、塵や埃が舞うような工場内での作業においては、頭巾の前頭部中央を額に当て、付属する留具を後ろに回して後頭部下で背面留めにして埃避けのヘアーキャップとする
【実施例４】
【００２７】洗髪後の頭に被って髪を拭くタオルとして使用する。特に長髪の濡れた髪は、装着した頭巾の内側に巻き込んでしまうと、髪から滴り落ちる水で服を濡らすことがない。
【実施例５】
【００２８】プロゴルフトーナメントやプロテニス等では、大会名を前頭部の中央にプリントした頭巾を、観戦時の日焼け防止対策に単独、またはサンバイザーと併用して装着する。
【実施例６】
【００２９】オリンピック等の国単位のスポーツ観戦においては、夏季は日焼け対策として、冬季は防寒対策として、前頭部の中央に日の丸をプリントした頭巾を単独、またはサンバイザーと併用して装着する。
【実施例７】
【００３０】国内のプロ野球、プロサッカーの試合においては前頭部の中央に、各球団、各チームのロゴマークをプリントした頭巾を単独、またはサンバイザーと併用して装着する。
【実施例８】
【００３１】夏の甲子園では、前頭部の中央に各高校の校章をプリントしたり、各高校のカラーを取り入れたりして、高校カラーと同色の布地を用いた頭巾を単独、またはサンバイザーと併用して装着する。
【実施例９】
【００３２】ウインタースポーツ観戦においては、暖かくなった時には外すことで荷物になってしまう、帽子、マフラー、耳当てがひとつになった頭巾を、防寒対策としては前面留めにして、暖かくなったら背面留めで装着する。
【実施例１０】
【００３３】プール、海水浴場においては、水中から上がった際に濡れた顔や毛髪を拭いたり、顔、首筋、襟元、毛髪の日焼けを防いだりするために装着する。
【実施例１１】
【００３４】磯釣り、川釣り等の日焼け防止対策や、耳当てを兼ねた防寒対策に使用する。
【実施例１２】
【００３５】各スポーツ等の開催会場において、頭巾の前頭部の中央部分に、大会名等や各チームのロゴマーク等をプリントした織布製やや紙製の頭巾を、関係者やギャラリーに熱中症対策や防寒対策用にサービスとして無料配布、又は、記念品グッツとして販売する。
【図面の簡単な説明】
【００３６】
【図１】  頭巾を装着した正面図である。
【図２】  帽子の上から頭巾を装着した側面図である。
【図３】  頭巾を背面留めで装着した側面図である。
【図４】  本発明の作成図である。
【符号の説明】
【００３７】  １  頭上中央
２  後頭部の形状
３  一部上
４  斜め下
５  織布の裾
６  前頭部中央
７  一部分の縫い合わせ
８  小さい庇
９  垂れ下がる織布
１０  顎の位置の留具
１１  顎の下の位置の留め具
１２  顎の両サイドの位置の留め具
【図１】
0004716220.tif 000002
【図２】
0004716220.tif 000003
【図３】
0004716220.tif 000004
【図４】
0004716220.tif 000005